(57)【要約】【課題】本発明は、装着した吸込口ユニットに適した設定で電気掃除機を運転することができる電気掃除機を提供する。【解決手段】本発明の電気掃除機は、吸引口及び第１接続部を有する吸込口ユニットと、吸引口から吸引した空気が集塵部へと流れるように設けられた空気流路とを備え、空気流路は、吸込口ユニットを交換できるように設けられた接続構造を有し、接続構造は、第１接続部と、集塵部側の第２接続部とが取り外し可能に接続する構造を有し、第１接続部は、吸込口ユニットに関する情報を記憶した記憶部を有する無線タグを有し、第２接続部は、第１接続部と第２接続部とが接続した状態において無線タグの記憶部が記憶している情報を無線で読み取ることができるように設けられた読取部を有することを特徴とする。【選択図】図７
2020198951.tif 000002
【特許請求の範囲】
【請求項１】
空気を吸引口から電気掃除機内に吸引するように設けられたファン及び前記ファンを回転させるモータを有する電動送風機と、前記吸引口及び第１接続部を有する吸込口ユニットと、前記吸引口から吸引した空気中の塵埃を捕集し溜めるように設けられた集塵部と、前記吸引口から吸引した空気が前記集塵部へと流れるように設けられた空気流路とを備え、
前記空気流路は、前記吸込口ユニットを交換できるように設けられた接続構造を有し、
前記接続構造は、第１接続部と、前記集塵部側の第２接続部とが取り外し可能に接続する構造を有し、
第１接続部は、前記吸込口ユニットに関する情報を記憶した記憶部を有する無線タグを有し、
第２接続部は、第１接続部と第２接続部とが接続した状態において前記無線タグの記憶部が記憶している情報を無線で読み取ることができるように設けられた読取部を有することを特徴とする電気掃除機。
【請求項２】
前記読取部は、近距離無線通信で前記無線タグの記憶部の情報を読み取るように設けられた請求項１に記載の電気掃除機。
【請求項３】
前記電気掃除機を制御するように設けられた制御部をさらに備え、
前記制御部は、前記読取部が読み取った前記吸込口ユニットに関する情報に基づき前記電気掃除機を制御するように設けられた請求項１又は２に記載の電気掃除機。
【請求項４】
前記制御部は、前記読取部が読み取った前記吸込口ユニットに関する情報に基づき前記吸込口ユニットの種類を識別するように設けられ、かつ、前記吸込口ユニットに適した設定で前記電気掃除機を制御するように設けられた請求項３に記載の電気掃除機。
【請求項５】
前記制御部は、前記読取部が前記無線タグと通信できなくなることを検出するように設けられた請求項３又は４に記載の電気掃除機。
【発明の詳細な説明】
【技術分野】
【０００１】
本発明は、電気掃除機に関する。
【背景技術】
【０００２】
電気掃除機の吸込口ユニットの種類には、床・じゅうたん用ノズル、すき間ノズル、ブラシノズル、布団用ノズルなどがある。これらの吸込口ユニットを付け替えて掃除することにより様々な場所や様々な掃除対象を掃除することができる。
また、掃除対象に無線タグを取り付けて掃除対象を適切に清掃を行うことができる掃除機が知られている。
【先行技術文献】
【特許文献】
【０００３】
【特許文献１】特開２００４−１６００６５号公報
【発明の概要】
【発明が解決しようとする課題】
【０００４】
従来の電気掃除機では吸込口ユニットを別の種類に取り替えたとしても、電気掃除機の制御部はこのことを認識することができず、いずれの吸込口ユニットを電気掃除機に装着した場合でも共通の設定で掃除運転を行っている。このため、取り替えた吸込口ユニットに応じてユーザーがスイッチを押して吸引力を調節する必要がある。
本発明は、このような事情に鑑みてなされたものであり、装着した吸込口ユニットに適した設定で電気掃除機を運転することができる電気掃除機を提供する。
【課題を解決するための手段】
【０００５】
本発明は、空気を吸引口から電気掃除機内に吸引するように設けられたファン及び前記ファンを回転させるモータを有する電動送風機と、前記吸引口及び第１接続部を有する吸込口ユニットと、前記吸引口から吸引した空気中の塵埃を捕集し溜めるように設けられた集塵部と、前記吸引口から吸引した空気が前記集塵部へと流れるように設けられた空気流路とを備え、前記空気流路は、前記吸込口ユニットを交換できるように設けられた接続構造を有し、前記接続構造は、第１接続部と、前記集塵部側の第２接続部とが取り外し可能に接続する構造を有し、第１接続部は、前記吸込口ユニットに関する情報を記憶した記憶部を有する無線タグを有し、第２接続部は、第１接続部と第２接続部とが接続した状態において前記無線タグの記憶部が記憶している情報を無線で読み取ることができるように設けられた読取部を有することを特徴とする電気掃除機を提供する。
【発明の効果】
【０００６】
本発明の電気掃除機は無線タグの吸込口ユニットに関する情報を読み取ることができるため、装着した吸込口ユニットに適した設定で電気掃除機を運転することができる。
【図面の簡単な説明】
【０００７】
【図１】本発明の一実施形態の電気掃除機の概略図である。
【図２】本発明の一実施形態の電気掃除機の電気的構成を示すブロック図である。
【図３】（ａ）〜（ｃ）はそれぞれ交換可能な吸込口ユニットの概略斜視図である。
【図４】本発明の一実施形態の電気掃除機の概略図である。
【図５】（ａ）は第１接続部の概略図であり（ｂ）は第２接続部の概略図である。
【図６】（ａ）は図５（ａ）の破線Ａ−Ａにおける第１接続部の概略断面図であり、（ｂ）は図５（ｂ）の破線Ｂ−Ｂにおける第２接続部の概略断面図であり、（ｃ）は第１接続部と第２接続部とを接続させた状態の接続構造の概略断面図である。
【図７】本発明の一実施形態の電気掃除機の制御フローチャートである。
【図８】本発明の一実施形態の電気掃除機の概略図である。
【図９】本発明の一実施形態の電気掃除機の電気的構成を示すブロック図である。
【図１０】（ａ）は第１接続部の概略断面図であり、（ｂ）は第２接続部の概略断面図であり、（ｃ）は第１接続部と第２接続部とを接続させた状態の接続構造の概略断面図である。
【発明を実施するための形態】
【０００８】
本発明の電気掃除機は、空気を吸引口から電気掃除機内に吸引するように設けられたファン及び前記ファンを回転させるモータを有する電動送風機と、前記吸引口及び第１接続部を有する吸込口ユニットと、前記吸引口から吸引した空気中の塵埃を捕集し溜めるように設けられた集塵部と、前記吸引口から吸引した空気が前記集塵部へと流れるように設けられた空気流路とを備え、前記空気流路は、前記吸込口ユニットを交換できるように設けられた接続構造を有し、前記接続構造は、第１接続部と、前記集塵部側の第２接続部とが取り外し可能に接続する構造を有し、第１接続部は、前記吸込口ユニットに関する情報を記憶した記憶部を有する無線タグを有し、第２接続部は、第１接続部と第２接続部とが接続した状態において前記無線タグの記憶部が記憶している情報を無線で読み取ることができるように設けられた読取部を有することを特徴とする。
【０００９】
前記読取部は、近距離無線通信（ＮＦＣ）で無線タグの記憶部の情報を読み取るように設けられたことが好ましい。ＮＦＣの通信可能距離は短いため、読取部が電気掃除機に装着された吸込口ユニットの無線タグとだけ通信することができ、装着された吸込口ユニットを誤認することを防止することができる。
本実施形態の電気掃除機の制御部は、読取部が読み取った吸込口ユニットに関する情報に基づき電気掃除機を制御するように設けられたことが好ましい。また、記制御部は、読取部が読み取った吸込口ユニットに関する情報に基づき吸込口ユニットの種類を識別するように設けられることが好ましく、かつ、吸込口ユニットに適した設定で電気掃除機を制御するように設けられたことが好ましい。このことにより、電気掃除機に吸込口ユニットを装着したとき電気掃除機の設定を装着した吸込口ユニットに適した制御設定に自動的に変更することができ、吸込口ユニットに適した運転をすることができる。
【００１０】
前記制御部は、読取部が無線タグと通信できなくなることを検出するように設けられたことが好ましい。このことにより、運転中に吸込口ユニットが電気掃除機から取り外されたことを検出することができ、吸込口ユニットの取り外した場合や吸込口ユニットを交換した場合でも電気掃除機の制御設定を自動的に適切に変更することができる。
【００１１】
以下、複数の実施形態を参照して本発明をより詳細に説明する。図面や以下の記述中で示す構成は、例示であって、本発明の範囲は、図面や以下の記述中で示すものに限定されない。
【００１２】
第１実施形態
図１は本実施形態の電気掃除機の概略図であり、図２は本実施形態の電気掃除機の電気的構成を示すブロック図である。図３は各種吸込口ユニットの斜視図であり、図４は隙間用吸込口ユニットを装着した電気掃除機の概略図である。
本実施形態の電気掃除機５０は、空気を吸引口２から電気掃除機５０内に吸引するように設けられたファン３及びファン３を回転させるモータ４を有する電動送風機５と、吸引口２及び第１接続部３１を有する吸込口ユニット１と、吸引口２から吸引した空気中の塵埃を捕集し溜めるように設けられた集塵部２１と、吸引口２から吸引した空気が集塵部２１へと流れるように設けられた空気流路１８とを備え、空気流路１８は、吸込口ユニット１を交換できるように設けられた第１接続構造７を有し、第１接続構造７は、第１接続部３１と、集塵部側の第２接続部３２とが取り外し可能に接続する構造を有し、第１接続部３１は、吸込口ユニット１に関する情報を記憶した記憶部３３を有する無線タグ１１を有し、第２接続部３２は、第１接続部３１と第２接続部３２とが接続した状態において無線タグ１１の記憶部３３が記憶している情報を無線で読み取ることができるように設けられた読取部１５を有することを特徴とする。
【００１３】
本実施形態の電気掃除機５０は、スティック型であってもよく、キャニスター型であってもよい。
また、集塵方式は、紙パック式であってもよく、サイクロン式であってもよく、フィルタ式であってもよい。また、本実施形態の電気掃除機５０は、バッテリーを駆動電源とするコードレス掃除機であってもよく、電気コードによりコンセントと接続するコード付掃除機であってもよい。
【００１４】
電動送風機５は、吸気及び排気をする部材であり、ファン３と、ファン３を回転させる第１モータ４とを備える。また、電動送風機５は、集塵部２１の風の流れの下流側に配置することができる。電動送風機５には、電動送風機用駆動回路などを備えた制御基板が取り付けられていてもよい。第１モータ４は、カーボンブラシを有するモータであってもよく、ブラシレスモータであってもよい。
【００１５】
電気掃除機５０では、電動送風機５のファン３が回転することにより、吸込口ユニット１の吸引口２から外気を塵埃と一緒に電気掃除機５０内に吸込み、床面などを掃除することができる。吸引口２から電気掃除機２０内に吸い込んだ空気は、空気流路１８を流れ集塵部２１に流入し、空気と共に吸い込んだ塵埃は集塵部２１の内部に集塵され、空気中の塵埃が取り除かれる。集塵部２１を通過した後の空気は、排気口から排出される。
電気掃除機５０の吸引力は、制御部２５の第１調節部２７により電源部３６から電動送風機５の第１モータ４に供給する電力又は電流を調節しファン３の回転数を調節することにより制御することができる。
【００１６】
電気掃除機５０の集塵方式が紙パック式である場合、集塵部２１は紙パックである。また、電気掃除機５０の集塵方式がサイクロン式である場合、集塵部２１はサイクロン集塵器である。電気掃除機５０の集塵方式がフィルタ方式である場合、集塵部２１はフィルタ及びダストカップを有することができる。
【００１７】
吸込口ユニット１は、吸込口体６を含む交換可能なユニットである。吸込口ユニット１は、吸込口体６と、第１接続部３１とを含む。吸込口体６は、電気掃除機５０の吸引口２を有する部分である。第１接続部３１は、第１接続構造７で第２接続部３２と取り外し可能に接続する部分であり、吸込口体６の空気流路１８と集塵部側の空気流路１８とを接続する部分である。
吸込口ユニット１は、例えば、図３（ａ）に示した床・じゅうたん用吸込口ユニット１ａであってもよく、図３（ｂ）に示した布団用吸込口ユニット１ｂであってもよく、図３（ｃ）に示した隙間用吸込口ユニット１ｃであってもよい。また、各種吸込口ユニット１の第１接続部３１は、第１接続構造７で第２接続部３２に接続できるように設けられる。このことにより、電気掃除機５０に各種吸込口ユニット１を交換可能に装着することができる。
図１に示した電気掃除機５０は床・じゅうたん用吸込口ユニット１ａ又は布団用吸込口ユニット１ｂを装着しており、図４に示した電気掃除機５０は隙間用吸込口ユニット１ｃを装着している。
【００１８】
床・じゅうたん用吸込口ユニット１ａの吸込口体は、回転ブラシ１９を有することができる。回転ブラシ１９は、第２モータ２０により回転するパワーブラシであってもよく、電気掃除機５０の吸引力により回転するタービンブラシであってもよい。回転ブラシ１９は、吸込口体６を移動させながら床面などを掃除する際に回転するブラシである。回転する回転ブラシ１９により床面などのゴミを掻き出すことができ、掻き出したゴミを吸引口から吸引することができる。このため、床面などのゴミをしっかりと除去することができる。
【００１９】
パワーブラシの場合、吸込口体６は回転ブラシ１９を回転させる第２モータ２０を有する。回転ブラシ１９のゴミを掻き出す力は、第２調節部２８により電源部３６から第２モータ２０に供給する電力又は電流を調節し回転ブラシ１９の回転数を調節することにより制御することができる。第２モータ２０には、回転ブラシ用駆動回路などを備えた制御基板が取り付けられていてもよい。
【００２０】
布団用吸込口ユニット１ｂの吸込口体６ｂも同様に回転ブラシ１９を有するが、吸込口体６ｂの回転ブラシ１９は、布団を叩いて布団中からダニや花粉を掻き出すことができるような構造を有する。回転ブラシ１９は例えばゴムブラシである。また、吸込口体６ｂは回転ブラシ１９を回転させる第２モータ２０を有する。また、吸込口体６ｂは、布団に吸着しにくい構造を有する。このことにより、布団にダメージを与えることを抑制することができる。また、掃除中に吸込口体６ｂが布団に吸着し布団上で動かなくなることを抑制することができる。
隙間用吸込口ユニット１ｃの吸込口体６ｃは、狭い隙間を掃除できるように細長い構造を有する。
【００２１】
電源部３６は、直流電源部であってもよく、交流電源部であってもよい。また、電源部３６は、電力線により制御部２５と接続し、制御部２５を介して電動送風機５の第１モータ４に電力を供給することができる。
電源部３６が直流電源部である場合、電源部３６はバッテリーを備えることができ、このバッテリーから直流電力を電動送風機５の第１モータ４などに供給することができる。電源部３６が交流電源部である場合、電源部３６は図示しない電源コードを介してコンセントから供給される交流電流を利用した電源部とすることができる。この交流電源部から交流電力又はＡＣ−ＤＣコンバータで変換した直流電力を電動送風機５の第１モータ４などに供給することができる。
【００２２】
制御部２５は、電気掃除機５０を制御する部分であり、例えば、演算部、第１記憶部２６、第１調節部２７、第２調節部２８を有する。制御部２５は、例えば、演算部、第１記憶部２６、タイマー、入出力ポートなどを有するマイクロコントローラを含むことができる。演算部は、例えば、ＣＰＵ、ＧＰＵ、ＦＰＧＡなどである。第１記憶部２６は、マスクROM, EPROM, EEPROM, フラッシュメモリ（不揮発性メモリ）などのROMと、FeRAM, SRAM, DRAMなどのRAMを含むことができる。
制御部２５は、複数の制御基板から構成されてもよい。これらの複数の制御基板は信号線又は電力線で接続することができる。制御部２５は、例えば、電動送風機用駆動回路を備えた制御基板、回転ブラシ用駆動回路を備えた制御基板、充電回路を備えた制御基板、マイクロコントローラなどから構成される。
【００２３】
制御部２５は、電源部３６から電動送風機５の第１モータ４に供給する電力又は電流を調節するように設けられた第１調節部２７を有することができる。第１調節部２７は、例えば、電動送風機用駆動回路の一部である。電源部３６から第１モータ４に交流電力を供給する場合、電力調節部７は、双方向サイリスタを有する位相制御回路を含むことができる。また、電源部３６から第１モータ４に直流電力を供給する場合、第１調節部２７は、トランジスタを有するＰＷＭ回路を含むことができる。
【００２４】
制御部２５は、電源部３６から回転ブラシ１９を回転させる第２モータ２０に供給する電力又は電流を調節するように設けられた第２調節部２８を有することができる。第２調節部２８は、例えば、第２モータ用駆動回路の一部である。電源部３６から第２モータ２０に交流電力を供給する場合、第２調節部２８は、双方向サイリスタを有する位相制御回路を含むことができる。また、電源部３６から第２モータ２０に直流電力を供給する場合、第２調節部２８は、トランジスタを有するＰＷＭ回路を含むことができる。
【００２５】
制御部２５の第１記憶部２６には、電気掃除機５０を制御するための制御ソフトウェアがインストールされている。制御ソフトウェアは、電動送風機５、第２モータ２０、電源部３６などを制御するファームウェアを含むことができる。また、ファームウェアは、電動送風機５、第２モータ２０、電源部３６などの一部とみなすこともできる。
【００２６】
制御部２５は、操作部９に設けられたオン・オフスイッチ、運転モード切替スイッチなどと信号線で接続することができる。ユーザーはこれらのスイッチを押すことにより電気掃除機５０のオン・オフ、吸引力の変更などをすることができる。また、操作部９は、吸込口体６や掃除機本体を動かすためのハンドルを有する。また、操作部９は、空気流路１８の途中に設けることができる。
【００２７】
空気流路１８は、吸込口ユニット１を交換できるように設けられた第１接続構造７を有する。第１接続構造７は、吸込口ユニット１の第１接続部３１と、集塵部側の第２接続部３２とが取り外し可能に接続する構造を有する。第１接続構造７は、図１に示した電気掃除機５０のように延長管１０の先端部に吸込口ユニット１が接続するように設けられてもよい。また、第１接続構造７は、図４に示した電気掃除機５０のように吸込口ユニット１が操作部９の流路部材に接続するように設けてもよい。延長管１０を用いる場合、延長管１０の根元部分は第２接続構造８により操作部９の流路部材に接続することができる。第２接続構造８は、第１接続構造７と同様の接続構造を有することができる。
吸込口ユニット１を延長管１０の先端部に接続するか又は操作部９の流路部材に接続するかは、ユーザーが掃除しやすいように選択する。
【００２８】
図５（ａ）は、吸込口ユニット１の第１接続部３１の概略図であり、図５（ｂ）は第２接続部３２の概略図である。図６（ａ）は図５の破線Ａ−Ａにおける第１接続部３１の概略断面図であり、図６（ｂ）は図５の破線Ｂ−Ｂにおける第２接続部３２の概略断面図であり、図６（ｃ）は第１接続部３１と第２接続部３２とを接続した状態における接続構造７の概略断面図である。
第２接続部３２は、延長管１０の先端部であってもよく、操作部９の流路部材の端部であってもよい。
【００２９】
第１接続構造７は、第１接続部３１の流路部材と第２接続部３２の流路部材のうち一方の流路部材が他方の流路部材中に嵌め込まれた構造を有することができる。また、第１接続構造７は、第１接続部３１と第２接続部３２のうち一方が有する爪が他方が有する凹部に入る固定構造を有することができる。また、第１接続構造７は、第１接続部３１と第２接続部３２のうち一方が有するプラグ３８が他方が有するソケット３９に嵌め込まれることにより第１接続部３１と第２接続部３２とが電気的に接続する構造を有することができる。また、電気掃除機５０に隙間用吸込口ユニット１ｃを装着する場合、吸込口ユニット１ｃに電力を供給する必要がないため、第１接続部３１と第２接続部３２は電気的に接続しない。
【００３０】
例えば、図５、図６に示した第１接続部３１、第２接続部３２及び第１接続構造７では、第２接続部３２の流路部材の内部に第１接続部３１の流路部材が嵌め込まれている。また、第１接続部３１のプラグ３８が第２接続部３２のソケット３９に嵌め込まれることにより第１接続部３１と第２接続部３２とが電気的に接続している。
【００３１】
第１接続部３１は、吸込口ユニット１に関する情報を記憶した第２記憶部３３を有する第１無線タグ１１を備える。第１無線タグ１１は、電波などを発し無線通信することができる部品である。第１無線タグ１１はパッシブ型ＮＦＣ（Near Field Communication、近距離無線通信）タグとすることができる。この場合、第１無線タグ１１は、第２記憶部３３を有するＩＣチップとアンテナを有する。
吸込口ユニット１に関する情報は、例えば、吸込口ユニット１の種類に関する情報、吸込口ユニット１の適合機種に関する情報、吸込口ユニット１を用いた掃除に適した各種設定値などである。
【００３２】
例えば、床・じゅうたん用吸込口ユニット１ａに取り付けられた第１無線タグ１１ａの第２記憶部３３はこの吸込口ユニット１ａに関する情報を記憶しており、布団用吸込口ユニット１ｂに取り付けられた第１無線タグ１１ｂの第２記憶部３３はこの吸込口ユニット１ｂに関する情報を記憶しており、隙間用吸込口ユニット１ｃに取り付けられた第１無線タグ１１ｃの第２記憶部３３はこの吸込口ユニット１ｃに関する情報を記憶している。
【００３３】
第２接続部３２は、第１無線タグ１１と通信することができるように設けられた第１読取部１５又は第２読取部１６を有する。電気掃除機５０は、第１読取部１５及び第２読取部１６のうちどちらか一方を有してもよく、両方を有してもよい。第１無線タグ１１がパッシブ型ＮＦＣタグである場合、読取部１５、１６は、第１無線タグ１１のアンテナに誘導電流を生じさせるための磁界生成部と、第１無線タグ１１が発した電波などを受信する受信部とを有することができる。
【００３４】
第１無線タグ１１と読取部１５、１６との通信方式がＮＦＣである場合、第１接続構造７は、第１接続部３１と第２接続部３２とが接続することにより、第１無線タグ１１と読取部１５、１６とが近接又は接触するように設けられる。例えば、第１無線タグ１１を図５（ａ）、図６（ａ）のように配置し、読取部１５、１６を図５（ｂ）、図６（ｂ）のように配置することができる。このような第１接続部３１と第２接続部３２とを接続し第１接続構造７を形成することにより、図６（ｃ）に示したように、第１無線タグ１１と読取部１５、１６とを近接又は接触させることができ、読取部１５、１６が第１無線タグ１１の第２記憶部３３に保存された情報を読み取ることができる。
第１無線タグ１１又は読取部１５、１６は、カバー、筐体、ケースなどで覆われていることが好ましい。このことにより、第１無線タグ１１又は読取部１５、１６が外部に露出することを防止することができ、塵埃が第１無線タグ１１又は読取部１５、１６に付着することを低減できる。例えば、第１無線タグ１１又は読取部１５、１６を取り付けた部分をカバーで覆ってもよい。また、吸込口ユニット１（第１接続部３１）の筐体内部の内壁面近傍に第１無線タグ１１を配置してもよく、第２接続部３２の筐体内部の内壁面近傍に読取部１５、１６を配置してもよい。
【００３５】
第１無線タグ１１と読取部１５、１６との通信方式をＮＦＣとすることにより、第１無線タグ１１が電池を有する必要がない。また、隙間用吸込口ユニット１ｃに電力を供給する必要がない。また、ＮＦＣの通信可能距離は短いため、読取部１５、１６が電気掃除機５０に装着された吸込口ユニット１の第１無線タグ１１だけと通信することができる。ＮＦＣの規格は、例えば、Type A（Mifare（登録商標））、Type B、Type F（FeliCa（登録商標））などである。
【００３６】
図１に示した電気掃除機５０のように、吸込口ユニット１を延長管１０の先端部に接続した場合、延長管１０の先端部に配置された読取部１５が第１無線タグ１１の第２記憶部３３の情報を読み取る。
図４に示した電気掃除機５０のように、吸込口ユニット１を操作部９の流路部材の端部に接続した場合、操作部９の流路部材の端部に配置された読取部１６が第１無線タグ１１の第２記憶部３３の情報を読み取る。
読取部１５、１６は、信号線又は電力線を介して読み取った情報を制御部２５へ送信できるように設けられる。このことにより、制御部２５は、電気掃除機５０に装着された吸込口ユニット１に関する情報を入力することができる。
【００３７】
制御部２５は、読取部１５、１６が読み取った吸込口ユニット１に関する情報に基づき電気掃除機５０を制御するように設けられる。
図７は、本実施形態の電気掃除機５０の制御フローチャートである。ここでは、図７に示した制御フローチャートを用いて説明する。
ユーザーが運転開始のスイッチを押下する（ステップＳ１）と、制御部２５は電気掃除機５０に吸込口ユニット１が装着されているか否かを判断する（ステップＳ２）。この判断は、第１読取部１５及び第２読取部１６のうち一方が第１無線タグ１１と通信できるか否かを確かめることにより判断される。
【００３８】
吸込口ユニット１が装着されていない場合、制御部２５は、吸込口ユニットなしの状態で最適な各種設定（吸引力の設定、回転ブラシの回転の要否、回転ブラシの回転数、エラー検出閾値など）に自動で変更し電気掃除機５０を運転させる（ステップＳ７）。例えば、吸込口ユニットなしの状態で使用することができるブラシ２２での掃除に最適な各種設定で電気掃除機５０を運転させる。また、吸込口ユニットなしの状態で最適な各種設定は、予め第１記憶部２６に記憶させている。次に、制御部２５は運転終了のスイッチが押されたか否か判断する（ステップＳ８）。スイッチが押されている場合、運転を終了する。スイッチが押されていない場合、ステップＳ２の判断を再び行う。
【００３９】
吸込口ユニット１が装着されている場合、制御部２５は、第１無線タグ１１の第２記憶部３３から吸込口ユニット１に関する情報を入力し（ステップＳ３）、この情報に基づき、電気掃除機５０が装着された吸込口ユニット１の適合機種か否かを判断する（ステップＳ４）。電気掃除機５０が吸込口ユニット１の適合機種であるか否かの情報は、制御部２５の第１記憶部２６に保存されていてもよく、第１無線タグ１１の第２記憶部３３に保存されていてもよい。また、この両方にこの情報が保存されていてもよい。
電気掃除機５０が適合機種でない場合、ブザー、ランプ、表示部などを介して吸込口ユニット１を使えないことをユーザーに通知する（ステップＳ９）。
【００４０】
制御部２５が、電気掃除機５０が吸込口ユニット１の適合機種であると判断すると、制御部２５は、電気掃除機５０に装着された吸込口ユニット１での掃除に最適な各種設定（吸引力の設定、回転ブラシの回転の要否、回転ブラシの回転数、エラー検出閾値など）に自動で変更し電気掃除機５０を運転させる（ステップＳ５）。各種設定値は、制御部２５の第１記憶部２６に保存されていてもよく、第１無線タグ１１の第２記憶部３３に保存されていてもよい。また、この両方にこの情報が保存されていてもよい。
【００４１】
例えば、電気掃除機５０に床・じゅうたん用吸込口ユニット１ａが装着されている場合、吸引力が中位となり回転ブラシ１９の回転数が大きくなるように各種設定を変更する。例えば、電気掃除機５０に布団用吸込口ユニット１ｂが装着されている場合、吸引力が大きくなり回転ブラシ１９の回転数が中位となるように各種設定を変更する。例えば、電気掃除機５０に隙間用吸込口ユニット１ｃが装着されている場合、吸引力が小さくなるように各種設定を変更する（回転ブラシ１９がない設定とする）。
【００４２】
次に、制御部２５は運転終了のスイッチが押されたか否か判断する（ステップＳ６）。スイッチが押されている場合、運転を終了する。スイッチが押されていない場合、ステップＳ２の判断を再び行う。ステップＳ２〜Ｓ６を繰り返すことにより、吸込口ユニット１が電気掃除機５０から取り外されたことを検出することが可能になる。例えば、制御部２５は読取部１５又は１６が第１無線タグ１１と通信できなくなった場合に吸込口ユニット１が電気掃除機５０から取り外されたと判断することができる。また、ステップＳ２〜Ｓ６を繰り返すことにより、制御部２５は、運転中に吸い込みユニット１が取り外された場合や交換された場合でも適切に各種設定を変更することができる。
【００４３】
第２実施形態
図８は第２実施形態の電気掃除機５０の概略図であり、図９は第２実施形態の電気掃除機５０の電気的構成を示すブロック図である。
第２実施形態の電気掃除機５０は、延長管の根元部分（第１接続部３１ｂ）と操作部９の流路部材の端部（第２接続部３２ｂ）とが接続する第２接続構造８が第１接続構造７と同様の構造を有し、第１接続部３１ｂが第２無線タグ１２を有する。ただし、第２無線タグ１２の第３記憶部３４は、延長管１０に関する情報を記憶している。
このような構造により、制御部２５は延長管１０が接続されているか否かを判断することができる。
第２実施形態の第１接続部３１ａは第１実施形態の第１接続部３１に相当し、第２接続部３２ａは第１実施形態の第１接続部３２に相当する。
【００４４】
第２実施形態では、延長管１０の先端部分（第２接続部３２ａ）に配置された第１読取部１５は第２無線タグ１２と信号線などで接続する。このことにより、第１読取部１５が制御部２５に接続する信号線と、第２読取部１６が制御部２５に接続する信号線とを共通化することができ、電気掃除機５０の製造コストを低減することができる。
【００４５】
例えば、制御部２５が延長管１０の先端部分（第２接続部３２ａ）に接続された吸込口ユニット１に関する情報を第１無線タグ１１の第２記憶部３３から入力する場合、まず、第１読取部１５が第１無線タグ１１から吸込口ユニット１に関する情報を読み取り、この情報を第２無線タグ１２の第３記憶部３４に保存する。次に、第２読取部１６が第２無線タグ１２の第３記憶部３４から吸込口ユニット１に関する情報を読み取り、この情報を制御部２５が入力する。
その他の構成は第１実施形態と同様である。また、第１実施形態についての記載は矛盾がない限り第２実施形態についても当てはまる。
【００４６】
第３実施形態
図１０（ａ）は第１接続部３１の概略断面図であり、図１０（ｂ）は第２接続部３２の概略断面図であり、図１０（ｃ）は第１接続部３１と第２接続部３２とが接続した第１接続構造７の概略断面図である。
図５、図６に示した第１接続構造７では、第１無線タグ１１と読取部１５、１６とが近接又は接触した面が空気流路１８の流路断面と平行となっていたが、第３実施形態では、第１無線タグ１１と読取部１５、１６とが近接又は接触した面が空気流路１８と平行になる。このような構成とすることにより、空気流路１８の流路部材をスリム化することが可能である。
その他の構成は第１又は第２実施形態と同様である。また、第１又は第２実施形態についての記載は矛盾がない限り第３実施形態についても当てはまる。
【符号の説明】
【００４７】
１、１ａ〜１ｃ：吸込口ユニット    ２：吸引口    ３：ファン    ４：第１モータ    ５：電動送風機    ６、６ａ〜６ｃ：吸込口体    ７：第１接続構造    ８：第２接続構造    ９：操作部    １０：延長管    １１、１１ａ〜１１ｃ：第１無線タグ    １２：第２無線タグ    １５：第１読取部    １６：第２読取部    １７：ホース    １８：空気流路    １９：回転ブラシ    ２０：第２モータ    ２１：集塵部    ２２：ブラシ    ２５：制御部    ２６：第１記憶部    ２７：第１調節部    ２８：第２調節部    ３１、３１ａ、３１ｂ：第１接続部    ３２、３２ａ、３２ｂ：第２接続部    ３３：第２記憶部    ３４：第３記憶部    ３６：電源部    ３８：プラグ    ３９：ソケット    ５０：電気掃除機
【図１】
2020198951.tif 000003
【図２】
2020198951.tif 000004
【図３】
2020198951.tif 000005
【図４】
2020198951.tif 000006
【図５】
2020198951.tif 000007
【図６】
2020198951.tif 000008
【図７】
2020198951.tif 000009
【図８】
2020198951.tif 000010
【図９】
2020198951.tif 000011
【図１０】
2020198951.tif 000012